(57)【特許請求の範囲】
【請求項１】
カード面に浮き出されたエンボス列を同一側に向けて重ね、且つエンボス列をカード繰り出し方向と並行になるようにカード収納部に収納し、カード収納部の底面中央部に突出した突起部により最下層のカードの端面を押してゲートから一枚づつ繰り出すカードスタッカにおいて、
前記カード収納部の底面と面一なカード積載面に前記突起部を一体に設けた第１の台座と、
前記第１の台座のカード載置面と同じ高さを有するとともに前記カード収納部の側壁とで前記ゲートを形成するカード積載面を設けた第２の台座と、
カード繰り出し方向と並行で且つ前記エンボス列からより離れている側壁にカード積載方向へ摺動自在に設けた重しとを備えたことを特徴とするカードスタッカ。
【請求項２】
前記第１の台座のカード積載面は、前記カード収納部の底面より高い請求項1記載のカードスタッカ。
【請求項３】
前記ゲートを形成する前記カード収納部の側壁は、エンボスの逃げ部を有する請求項１記載のカードスタッカ。
【請求項４】
前記カード収納部は、前記重しの上面を検出してカード残量を検知するニアエンドセンサを側壁に備えた請求項１記載のカードスタッカ。
【請求項５】
前記カード収納部は、前記重しの上面を見る窓と、その窓を介して見える重しの上面と一致する目盛りの数値がカードの残量を示すように目盛られたインジケータとを側壁に設けた請求項１記載のカードスタッカ。
【請求項６】
前記ゲートの隙間は、対向する弧面間により形成される請求項３記載のカードスタッカ。
【発明の詳細な説明】
【０００１】
【発明の属する技術分野】
本発明はカード面に浮き出されたエンボス付きカードを繰り出すカードスタッカに関する。
【０００２】
【従来の技術】
従来、エンボス付きカードを繰り出すカードスタッカには、カード面に浮き出されたエンボス列を同一側に向けて重ね、且つエンボス列をカード繰り出し方向と並行になるようにカード収納部に収納し、カード収納部の底面中央部に突出した突起部により最下層のカードの端面を押してゲートから一枚づつ繰り出すものがある。
【０００３】
【発明が解決しようとする課題】
従来のカードスタッカにあっては、最下層のカードを繰り出すとき、エンボスが、その上のカードのエンボスに嵌り込んでいる場合があり、且つ最上層のカード面のほぼ全面にも負荷をかけているのでさらにエンボス同士が嵌りこみ、繰り出し不良が発生する恐れがあるという問題点があった。
【０００４】
本発明はエンボスを同一側に向け且つ重ねたカードに繰り出し不良を発生しないように負荷をかけ得るカードスタッカを提供することを目的としている。
【０００５】
【課題を解決するための手段】
上記目的を達成するために本発明のカードスタッカにおいては、カード収納部の底面と面一なカード積載面に突起部を一体に設けた第１の台座と、第１の台座のカード載置面と同じ高さを有するとともにカード収納部の側壁とでゲートを形成するカード積載面を設けた第２の台座と、カード繰り出し方向と並行で且つエンボス列からより離れている側壁にカード積載方向へ摺動自在に設けた重しとを備える。
【０００６】
【発明の実施の形態】
本発明の実施の形態について図面を参照しながら説明する。尚、各図面に共通な要素には同一符号を付す。
【０００７】
第１の実施の形態
図１は第１の実施の形態によるカードスタッカの側面図、図２は図１に示したカードスタッカの平面図、図３は図２に示した平面図のＡ−Ａ断面矢視図、図４はゲートの正面図、図５はゲートを通過するカードの説明図である。
【０００８】
カードスタッカ１は、カード２を積層して収納するカード収納部３と、積層された最下層のカード２ａ（以後総称する場合はカード２と記する）を繰り出すカード繰り出し部４と、積層された最上層のカード２ｂ（以後総称する場合はカード２と記する）に載せる重し５とからなる。
【０００９】
カード２は、図３に示すように、エンボス６を有する一面を同一側に向けて重ね、且つエンボス列をカード繰り出し方向と並行になるようにカード収納部３に積層される。
【００１０】
カード収納部３は、側壁７〜１０により形成された筒状をしており、底となる断面コ状のロワフレーム１１に立設している。断面Ｌ状の側壁７，８は短腕７ａ、８ａを互いに外向きにして側壁９に螺子１２にて固着され、長腕７ｂ，８ｂをロワフレーム１１の耳１１ａ，１１ｂに螺子１２にて固着されている。側壁１０は耳１０ａ，１０ｂをコ状に有し、側壁７の長腕７ｂに設けたコ状の支持部材１３に支軸１４を介して矢印Ｂ―Ｃ方向へ回動自在に軸支され、支軸を介して耳１０ａ，１０ｂとコ状の支持部材とに係合した図示せぬトーションスプリングの張力により矢印Ｂ方向へ付勢されて側壁７，８の端面に当接している。
【００１１】
側壁８にはカード２の積層方向である矢印Ｄ−Ｅ方向に延在する長穴１５が設けられ、重し５が長穴１５に保持部材１６、例えばショルダスクリュウにより摺動自在に係合している。
【００１２】
カード繰り出し部４は、ロワフレーム１１の耳部１１ｃ，１１ｄに回転自在に支持されたスクリュウシャフト１７と、スクリュウシャフト１７のねじ山に係合するねじ溝を有するブロック１８と、スクリュウシャフト１７と並行に配置されてブロック１８を案内するガイドシャフト１９、スクリュウシャフト１７に固着されたギヤ２０に噛み合うモータギヤ２１ａを有するモータ２１とからなる。
【００１３】
ブロック１８には最下層のカード２ａの他面を支持する載置面とともにカード２ａの端面に当接する突起部２２ａを有する第１の台座２２（以後台座２２と記する）が一体に設けてあり、ロワフレーム１１にはカード繰り出し方向である矢印Ｆ−Ｇ方向に沿って、台座２２を逃がす長穴２３が中央部に設けてある。
【００１４】
また、ロワフレーム１１には台座２２とともに最下層のカード２ａの他面を支持する載置面を有する第２の台座２４（以後台座２４と記する）が台座２２と対向して側壁９の下部に設けてあり、台座２４と側壁９の下部端面とでカード１枚のみ通過させるゲート２５を形成している。
【００１５】
尚、図４に示すように、側壁９の下部には最下層のカード２ａがゲート２５を通過する際にエンボス６を逃がす切り欠き部９ａが設けてある。
【００１６】
次に動作について説明する。先ず、図１、２，３に示すように、側壁１０をトーションスプリングの付勢力に抗して矢印Ｃ方向に開き、重し５を矢印Ｅ方向に移動し、エンボス６を有する一面を同一側、例えば上側にしてカード収納部３にカード２を収納する。
【００１７】
この際、図３に示すように、重し５はカード収納部３の側壁８側に設けられているので、大きな空間があり、カード２を収納する妨げになることはない。
【００１８】
次に側壁１０を閉じて重し５を長穴１５に沿って矢印Ｄ方向に摺動する。重し５は最上層のカード２ｂのエンボス６から離れたカード縁部に当接し、図５に示すように、台座２２、２４に載ったカード２はエンボス側を持ち上げ、最下層のカード２ａは重し５の垂直下にある他面側の縁をロワフレーム１１に圧接している。
【００１９】
従って、重し５は直接エンボス６の上からカード２に負荷をかけていない。
【００２０】
この状態でモータ２１が図示せぬ制御部によりカード１枚繰り出す分駆動されると、スクリュウシャフト１７が回転し、図２に示すように、ブロック１８が矢印Ｇ方向に移動する。ブロック１８の移動に伴って、台座２２の突起部２２ａにより最下層のカード２ａも矢印Ｇ方向に移動する。
【００２１】
最下層のカード２ａの移動に伴って、摩擦力により、積層している他のカードも移動しようとするが、側壁９に当接して止められ、カード２ａのみがゲート２５を通過し、カード収納部３から繰り出される。
【００２２】
尚、本実施の形態では、台座２２、２４の載置面をロワフレーム１１より高くしたが、ロワフレーム１１と面一にしてもよい。
【００２３】
また、ゲート２５を台座２４と側壁９の下部端面との平行部で形成したが、図５に示すように、重し５により傾斜したカード２のカード面が台座２４の縁２４ａと側壁９の下端の角９ｂとに当接し、当接面に強い摩擦力が作用するので、図６に示すように、対向する円弧９ｃ、２４ｂでゲート２５を形成してもよい。この場合、カード２の載置状態や変形状態に関わらず、台座２４と側壁９の下部端面との接触位置間の距離を短くすることができるので、摩擦力が弱められ、安定したカードの繰り出しを行うことができる。
【００２４】
第１の実施の形態によれば、重しは、台座を挟んで最上層のカードのエンボスから最も離れたカード縁部に当接するようにカード収納部の側壁に摺動自在に設けられたことにより、最下層のカードのエンボスがその上のカードのエンボスに嵌り込んでいても重しの負荷が小さいので、安定したカードの繰り出しを行うことができる。
【００２５】
また、重しは、カード収納部の側壁に摺動自在に設けられたことにより、カードをカード収納部に収納する際にカードを挟んだ指の妨げにならないので、カード収納操作を向上させる。
【００２６】
第２の実施の形態
図７は第２の実施の形態によるカードスタッカの要部を示す側面図、図８はカードニアエンド検知の説明図である。第２の実施の形態が第１の実施の形態と異なるところは、図７に示すように、発光素子３０ａと受光素子３０ｂとからなるカードニアエンド検知センサ３０と、カード残量を示す目盛りを印刷したインジケータ３１とをカード収納部３に設けた点である。
【００２７】
発光素子３０ａ、受光素子３０ｂは、それぞれ、光を通過させる穴を設けたカード収納部３の側壁７、８に所定の角度を有して取り付けられ、インジケータ３１は長穴３２を設けた側壁８に長穴３２に隣接して貼付されている。
【００２８】
発光素子３０ａからの光が受光素子３０ｂに達すると、図示せぬブザーの音やランプの点灯にてカード２の残量がニアエンドに達したことを報知する。
【００２９】
インジケータ３１は、長穴３２を介して見える重し５の上面と一致する目盛りの数値がカード２の残量を示すように目盛られている。
【００３０】
次に動作を説明する。第１の実施の形態で説明したように、側壁１０をトーションスプリングの付勢力に抗して矢印Ｃ方向に開き、重し５を矢印Ｅ方向に移動し、エンボス６を有する一面を同一側、例えば上側にしてカード収納部３にカード２を収納する。
【００３１】
次に側壁１０を閉じて重し５を長穴１５に沿って矢印Ｄ方向に摺動する。重し５は最上層のカード２ｂのエンボス６から離れたカード縁部に当接し、図５に示すように、台座２２、２４に載ったカード２はエンボス側を持ち上げ、最下層のカード２ａは重し５の垂直下にある他面側の縁をロワフレーム１１に圧接している。
【００３２】
このとき、長穴３２を介して見える重し５の上面と一致する目盛りの数値がカード収納部３に収納されているカード２の枚数を示している。また、カード収納部３に収納されているカード２は、発光素子３０ａが発光する光を妨げているので受光素子３０ｂに達していない。
【００３３】
カード２が次々と繰り出され、重し５が矢印Ｄ方向に降下し、カード２が所定枚数になったとき、発光素子３０ａの光が重し５の上面の稜線越しに受光素子３０ｂに達し、ブザーの音やランプの点灯にてカード２の残量がニアエンドに達したことを報知する。
【００３４】
第２の実施の形態によれば、エンボスから最も離れたカード縁部に当接する重しの上面にてカード残量を検知するようにしたことにより、カード残量を検知する上で不安定な要素であるエンボスの盛り上がりの影響を除去できる。
【００３５】
【発明の効果】
本発明は、以上説明したように構成されているので以下に記載される効果を奏する。
【００３６】
カードに負荷をかける重しは、カード収納部の底面より高いカード載置面を有する台座を挟んでエンボスから最も離れた最上層のカードのカード縁部に当接するようにしたことにより、最下層のカードのエンボスがその上のカードのエンボスに嵌り込んでいても重しによる負荷が小さいので、安定したカードの繰り出しを行うことができる。
【００３７】
また、重しは、エンボスの盛り上がりの影響の無いカード縁部に当接するので、カード残量を重しの上面により正確に検知することができる。
【図面の簡単な説明】
【図１】第１の実施の形態によるカードスタッカの側面図である。
【図２】図１に示したカードスタッカの平面図である。
【図３】図２に示した平面図のＡ−Ａ断面矢視図である。
【図４】ゲートの正面図である。
【図５】ゲートを通過するカードの説明図である。
【図６】ゲートの変形例を示す説明図である。
【図７】第２の実施の形態によるカードスタッカの要部を示す側面図である。
【図８】カードニアエンド検知の説明図である。
【符号の説明】
１  カードスタッカ
３  カード収納部
５  重し
６  エンボス
２５  ゲート
３０  カードニアエンド検知センサ
【図１】
0004418133.tif 000002
【図２】
0004418133.tif 000003
【図３】
0004418133.tif 000004
【図４】
0004418133.tif 000005
【図５】
0004418133.tif 000006
【図６】
0004418133.tif 000007
【図７】
0004418133.tif 000008
【図８】
0004418133.tif 000009